(57)【要約】    【構成】携帯通信端末１０は、リモコン制御回路（３６）および赤外線ＬＥＤ（３８）を含み、外部装置に対して、赤外線信号を送信することができる。さらに、携帯通信端末１０は、ＧＰＳ制御回路（３２）およびＧＰＳアンテナ（３４）を備え、現在位置の情報を取得することができる。また、使用者は、リモコン機能の初期設定で、自宅Ｈ内で現在位置の情報を取得し、自宅Ｈ内を所定位置の範囲として登録する事ができる。そして、使用者が携帯通信端末１０を持って自宅Ｈに帰宅すると、携帯通信端末１０の現在位置の情報が自宅Ｈ内に含まれるため、携帯通信端末１０は、照明６０に対して赤外線信号を送信して、照明６０の電源をオンにする事ができる。    【効果】使用者は、予め登録した任意の場所に行く（帰る）だけで、照明６０の電源などを制御することができる。【選択図】図５
2010154145.tif 000002
【特許請求の範囲】
【請求項１】
外部装置に対して制御信号を送信する送信装置を備える携帯通信端末であって、
位置情報を取得する位置情報取得手段、
所定位置を登録する位置登録手段、および
前記位置情報取得手段によって取得された位置情報が前記位置登録手段によって登録された所定位置の範囲内であるとき、前記送信装置に制御信号を送信させる送信手段を備える、携帯通信端末。
【請求項２】
前記位置登録手段は、前記位置情報取得手段によって取得された位置情報を所定位置として登録する、請求項１記載の携帯通信端末。
【請求項３】
時刻を取得する時刻取得手段、および
所定時間を設定する時間設定手段を備え、
前記位置情報取得手段は、前記時刻取得手段によって取得された時刻が前記時間設定手段によって設定された所定時間に含まれるとき、位置情報を取得する、請求項１または２記載の携帯通信端末。
【請求項４】
前記外部装置に対する制御信号のパターンを設定するパターン設定手段をさらに備える、請求項１ないし３のいずれかに記載の携帯通信端末。
【請求項５】
前記外部装置は、赤外線信号によって制御可能な照明を含み、
前記送信装置は、赤外線信号を送信可能な赤外線ＬＥＤを含む、請求項４記載の携帯通信端末。
【請求項６】
前記外部装置の機器情報を登録する機器情報登録手段をさらに備える、請求項１ないし３のいずれかに記載の携帯通信端末。
【請求項７】
前記外部装置は、近距離無線通信によって制御可能であって、他の外部装置を制御するための信号を送信可能なリモコンを含み、
前記送信装置は、前記リモコンに対して前記近距離無線通信によって前記制御信号を送信する近距離無線装置を含む、請求項６記載の携帯通信端末。
【請求項８】
外部装置に対して制御信号を送信する送信装置と位置情報を取得する位置情報取得手段とを備える携帯通信端末のプロセサを、
所定位置を登録する位置登録手段、および
前記位置情報取得手段によって取得された位置情報が前記位置登録手段によって登録された所定位置の範囲内であるとき、前記送信装置に制御信号を送信させる送信手段として機能させる、信号送信プログラム。
【発明の詳細な説明】
【技術分野】
【０００１】
この発明は、携帯通信端末に関し、特にたとえば、外部装置を制御することが可能な、携帯通信端末に関する。
【背景技術】
【０００２】
従来、外部装置を制御することが可能な、携帯通信端末が知られており、この種の装置の一例が、特許文献１に開示されている。この背景技術における照明制御システムは、事務所内に複数の照明装置と複数の無線基地局とがそれぞれ配置され、複数の照明装置および複数の無線基地局のそれぞれは、ＬＡＮによって制御部に接続される。また、事務所内のユーザは、照度センサを有する無線携帯端末を所持し、無線基地局と交信することができる。そして、制御部は位置検出モジュールおよび照度変更モジュールを備え、位置検出モジュールは無線携帯端末の現在位置を特定し、照度変更モジュールは特定された位置の近傍における照明装置の照度を変更する。これにより、ユーザは、自身が居る場所を照らす照明装置の照度を任意に制御することができる。
【特許文献１】特開２００６−１４７１８３号公報［H05B 37/02, H04Q 9/00］
【発明の開示】
【発明が解決しようとする課題】
【０００３】
しかし、特許文献１の背景技術における照明制御システムが、一般の家庭に設置される場合に、ユーザは、照明装置を全て取り替え、さらに無線基地局および制御部のそれぞれを新たに設置しなければならない。そのため、ユーザは、照明制御システムを、自身の家に対して、安易に設置することができない。さらに、無線携帯端末が発する電波は指向性が弱いため、精度よく無線携帯端末の現在位置を特定するのは困難である。
【０００４】
それゆえに、この発明の主たる目的は、新規な、携帯通信端末を提供することである。
【０００５】
この発明の他の目的は、任意の場所で容易に外部装置を制御することが可能な、携帯通信端末を提供することである。
【課題を解決するための手段】
【０００６】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００７】
第１の発明は、外部装置に対して制御信号を送信する送信装置を備える携帯通信端末であって、位置情報を取得する位置情報取得手段、所定位置を登録する位置登録手段、および位置情報取得手段によって取得された位置情報が位置登録手段によって登録された所定位置の範囲内であるとき、送信装置に制御信号を送信させる送信手段を備える、携帯通信端末である。
【０００８】
第１の発明では、送信装置（２０，３６，３８，４０，４２）は、使用者の自宅に設置された外部装置の電源を制御するための制御信号を送信する。また、位置情報取得手段（２０，３２，３４）は、ＧＰＳ衛星（１００）からのＧＰＳ信号を受信して、携帯通信端末（１０）の位置情報を取得する。さらに、使用者は、位置登録手段（２０，Ｓ１７）によって自宅（Ｈ）の中心などを所定位置として登録ことができる。そして、送信手段（２０，Ｓ４５，Ｓ６３）は、携帯通信端末の現在の位置が所定位置から半径１０メール以内（自宅内）であれば、外部装置に対して、制御信号を送信させる。
【０００９】
第１の発明によれば、使用者は、携帯通信端末を持って自宅に帰るだけで、外部装置に対して制御信号を送信させることができる。そして、使用者は、電源を制御する制御信号を送信させることで、外部装置の電源をオンにすることもできる。つまり、使用者は、予め登録した任意の場所に行く（帰る）だけで、外部装置の電源などを制御することができる。
【００１０】
第２の発明は、第１の発明に従属し、位置登録手段は、位置情報取得手段によって取得された位置情報を所定位置として登録する。
【００１１】
第２の発明では、受信したＧＰＳ信号から取得した現在の位置情報を所定位置として登録することができる。
【００１２】
第２の発明によれば、使用者は、任意の場所で、所定位置を登録する事ができる。
【００１３】
第３の発明は、第１の発明または第２の発明に従属し、時刻を取得する時刻取得手段、および所定時間を設定する時間設定手段を備え、位置情報取得手段は、時刻取得手段によって取得された時刻が時間設定手段によって設定された所定時間に含まれるとき、位置情報を取得する。
【００１４】
第３の発明では、携帯通信端末のプロセサ（２０）に内蔵される時刻取得手段（２０ａ）は、時刻を取得する。また、時間設定手段（２０，Ｓ１１）は、使用者が帰宅する時間帯などを所定時間として設定する。そして、位置情報取得手段は、使用者が帰宅する時間帯に、位置情報を取得する。
【００１５】
第３の発明によれば、外部装置を制御する必要の無い時間帯には位置情報を取得しないようにすることで、携帯通信端末の消費電力を抑えることができる。
【００１６】
第４の発明は、第１の発明ないし第３の発明のいずれかに従属し、外部装置に対する制御信号のパターンを設定するパターン設定手段をさらに備える。
【００１７】
第４の発明では、制御信号のパターンは外部装置によって異なり、使用者は、パターン設定手段（２０，Ｓ３）によって送信する制御信号のパターン（機種コード）を設定する。
【００１８】
第４の発明によれば、使用者は、制御信号によって制御する外部装置を任意に決めることができる。
【００１９】
第５の発明は、第４の発明に従属し、外部装置は、赤外線信号によって制御可能な照明を含み、送信装置は、赤外線信号を送信可能な赤外線ＬＥＤを含む。
【００２０】
第５の発明では、照明（６０）は、携帯通信端末が備える赤外線ＬＥＤ（３８）から発信される赤外線信号によって制御される。
【００２１】
第５の発明によれば、赤外線信号によって制御される外部装置は、広く一般家庭に普及しているため、照明やエアコンなどの外部装置を容易に制御できるようになる。
【００２２】
第６の発明は、第１の発明ないし第３の発明のいずれかに従属し、外部装置の機器情報を登録する機器情報登録手段をさらに備える。
【００２３】
第６の発明では、外部装置が近距離無線通信に対応している場合に、使用者は、機器情報登録手段（２０，Ｓ２３）によって外部装置の機器情報を登録することで、携帯通信端末と外部装置との無線接続を確立する。
【００２４】
第６の発明によれば、使用者は、近距離無線通信によって無線接続される外部装置の機器情報を自由に登録する事ができる。
【００２５】
第７の発明は、第６の発明に従属し、外部装置は、近距離無線通信によって制御可能であって、他の外部装置を制御するための信号を送信可能なリモコンを含み、送信装置は、リモコンに対して近距離無線通信によって制御信号を送信する近距離無線装置を含む。
【００２６】
第７の発明では、携帯通信端末は、他の外部装置を制御するためのリモコン（７０）との無線接続を近距離無線装置（４０，４２）によって確立する。そして、制御信号は、近距離無線通信によって、リモコンに送信される。
【００２７】
第７の発明によれば、使用者は、赤外線信号に比べて障害物の影響が小さい、近距離無線通信を利用して外部装置を操作することができる。
【００２８】
第８の発明は、外部装置に対して制御信号を送信する送信装置（２０，３６，３８，４０，４２）と位置情報を取得する位置情報取得手段（２０，３２，３４）とを備える携帯通信端末（１０）のプロセサ（２０）を、所定位置を登録する位置登録手段（Ｓ１７）、および位置情報取得手段によって取得された位置情報が位置登録手段によって登録された所定位置の範囲内であるとき、送信装置に制御信号を送信させる送信手段（Ｓ４５，Ｓ６３）として機能させる、信号送信プログラムである。
【００２９】
第８の発明でも、第１の発明と同様に、使用者は、予め登録した任意の場所に行く（帰る）だけで、外部装置の電源などを制御することができる。
【発明の効果】
【００３０】
この発明によれば、使用者は、予め登録した任意の場所に、携帯通信端末を持って行く（帰る）だけで、外部装置の電源などを制御することができる。
【００３１】
この発明の上述の目的、その他の目的、特徴および利点は、図面を参照して行う以下の実施例の詳細な説明から一層明らかとなろう。
【発明を実施するための最良の形態】
【００３２】
＜第１実施例＞
図１を参照して、携帯通信端末１０は、ＣＰＵ（プロセサまたはコンピュータと呼ばれることもある。）２０および入力装置であるキー入力装置２２を含む。ＣＰＵ２０は、ＣＤＭＡ方式に対応する無線通信回路１４を制御して発呼信号を出力する。出力された発呼信号は、アンテナ１２から送出され、基地局を含む移動通信網に送信される。そして、通話相手が応答操作を行うと、通話可能状態が確立される。
【００３３】
通話可能状態に移行した後にキー入力装置２２によって通話終了操作が行われると、ＣＰＵ２０は、無線通信回路１４を制御して、通話相手に通話終了信号を送信する。そして、通話終了信号の送信後、ＣＰＵ２０は、通話処理を終了する。また、先に通話相手から通話終了信号を受信した場合も、ＣＰＵ２０は、通話処理を終了する。さらに、通話相手によらず、移動通信網から通話終了信号を受信した場合も、ＣＰＵ２０は通話処理を終了する。
【００３４】
携帯通信端末１０が起動している状態で通話相手からの発呼信号がアンテナ１２によって捉えられると、無線通信回路１４は、着信をＣＰＵ２０に通知する。また、ＣＰＵ２０は、ＬＣＤドライバ２４によって表示装置であるＬＣＤモニタ２６を制御し、着信通知に記述された発信元情報を表示させる。そして、ＣＰＵ２０は、図示しない着信通知用のスピーカから着信音を出力させる。
【００３５】
通話可能状態では、次のような処理が実行される。通話相手から送られてきた変調音声信号（高周波信号）は、アンテナ１２によって受信される。受信された変調音声信号は、無線通信回路１４によって復調処理および復号処理を施される。そして、得られた受話音声信号は、スピーカ１８から出力される。一方、マイク１６によって取り込まれた送話音声信号は、無線通信回路１４によって符号化処理および変調処理を施される。そして、生成された変調音声信号は、上述と同様、アンテナ１２を利用して通話相手に送信される。
【００３６】
また、ＣＰＵ２０は、位置情報取得手段である、ＧＰＳ（Ｇｌｏｂａｌ  Ｐｏｓｉｔｉｏｎｉｎｇ  Ｓｙｓｔｅｍ）制御回路３２およびＧＰＳアンテナ３４によって、現在位置の情報を取得する事ができる。たとえば、使用者によって現在位置の情報を取得する操作がされると、ＣＰＵ２０は、ＧＰＳ制御回路３２を起動し、ＧＰＳアンテナ３４によってＧＰＳ衛星１００から送信されるＧＰＳ信号を受信する。そして、ＣＰＵ２０は、受信したＧＰＳ信号から現在位置の緯度および経度を取得する。
【００３７】
なお、携帯通信端末１０は、受信したＧＰＳ信号を利用して、ナビゲーション機能などを実行することができる。また、図１では、ＧＰＳ衛星１００は、簡単のため１つしか描画していないが、実際には複数のＧＰＳ衛星１００が存在する。そして、現在位置の情報は、複数のＧＰＳ衛星１００が送信する、複数のＧＰＳ信号に基づいて取得される。
【００３８】
また、携帯通信端末１０はリモコン機能を備えており、リモコン機能が実行されると、ＣＰＵ２０は、送信装置として機能するリモコン制御回路３６および赤外線ＬＥＤ３８を利用して、携帯通信端末１０をリモコンとして機能させる。たとえば、使用者がキー入力装置２２に対して、外部装置をリモートコントロールする操作（以下、リモコン操作と言う）を入力すると、ＣＰＵ２０は、キー入力装置２２に入力されたリモコン操作に応じて、リモコン制御回路３６に対して制御信号の発信命令を与える。そして、リモコン制御回路３６は、与えられた発信命令に基づいて、制御信号を赤外線信号に変換して、赤外線信号を赤外線ＬＥＤ３８に発信させる。これにより、外部装置は、受信した赤外線信号を制御信号に変換し、変換した制御信号に応じて、動作状態を変更する。たとえば、外部装置が照明であれば、リモコン操作に応じて電源のオン／オフが制御される。また、外部装置がエアコンであれば、リモコン操作に応じて電源のオン／オフおよび温度調整が制御される。
【００３９】
また、赤外線信号は、高速で点滅する赤外線によってバイナリデータを表現しており、本実施例の赤外線信号が表すバイナリデータは、機種コード部およびコマンド部などを含む。機種コード部は、外部装置の種類を特定する機種コードを含んでおり、リモコン操作される外部装置によって異なる。また、コマンド部は、外部装置を制御するためのコマンド（制御信号）を含んでおり、たとえば電源のオン／オフを制御するコマンド（制御信号）が含まれる。そして、外部装置は、受信した赤外線信号に含まれる機種コードが、予め設定されたものでなければ、リモコン操作として受け付けない。
【００４０】
さらに、携帯通信端末１０には、Ｂｌｕｅｔｏｏｔｈ（登録商標）方式に従う近距離無線通信を行うＢＴ通信回路４０が設けてあり、ＢＴ通信回路４０は、ＢＴアンテナ４２を通じ、他の機器との間で、Ｂｌｕｅｔｏｏｔｈ方式に従う近距離無線通信を行う。使用者は、任意の外部装置と、パスワードで保護される接続設定を行うことで、画像ファイルや文字列ファイルなどのデータを、任意の外部装置に送信したり、任意の外部装置から受信したりすることが可能である。
【００４１】
図２は、携帯通信端末１０の外観を示す図解図である。図２を参照して、携帯通信端末１０は、板状に形成されたケースＣ１を有する。図２では図示しないマイク１６およびスピーカ１８は、ケースＣ１に内蔵される。内蔵されたマイク１６に通じる開口ＯＰ２は、ケースＣ１の長さ方向一方の主面に設けられ、内蔵されたスピーカ１８に通じる開口ＯＰ１は、ケースＣ１の長さ方向他方の主面に設けられる。つまり、使用者は、開口ＯＰ１を通じてスピーカ１８から出力される音を聞き、開口ＯＰ２を通じてマイク１６に音声を入力する。
【００４２】
キー入力装置２２は、通話キー、終話キー、カーソルキー、確定キーおよび０〜９の数字キーを含み、それぞれのキーは、ケースＣ１の主面に設けられる。ＬＣＤモニタ２６は、モニタ画面がケースＣ１の主面に露出するように取り付けられる。
【００４３】
使用者は、通話キーを操作することで応答操作を行い、終話キーを操作することで通話終了操作を行う。また、使用者は、カーソルキーまたは数字キーによってＧＵＩ（Ｇｒａｐｈｉｃａｌ  Ｕｓｅｒ  Ｉｎｔｅｒｆａｃｅ）を操作し、操作の結果を確定キーによって確定する。また、０〜９の数字キーを利用して、通話相手の電話番号を入力する。そして、終話キー２２ｃを長押しすることで携帯通信端末１０の電源オン／オフ操作を行うことができる。また、携帯通信端末１０がリモコンとして機能している状態で、使用者は、カーソルキーおよび確定キーによってリモコン操作を入力する。たとえば、使用者は、リモコン操作によって外部装置の電源をオン／オフする場合に、確定キーを押下することで、電源のオン／オフを切り替える。
【００４４】
また、ケースＣ１の長さ方向一方の側面には、赤外線ＬＥＤ３８に通じる窓Ｗ１が設けられる。つまり、使用者は、ケースＣ１の長さ方向一方の側面を外部装置に向けて、リモコン操作を行う。なお、窓Ｗ１には、赤外線を透過するプラスチックがはめ込まれている。
【００４５】
ここで、本実施例におけるリモコン機能では、所定位置の範囲内で携帯通信端末１０をリモコンとして機能させて、外部装置を操作することができる。具体的に、このリモコン機能では、使用者によって設定された所定時間になると、ＧＰＳ信号を受信することで現在位置の情報を取得し、所定位置の範囲内であれば、外部装置を制御する制御信号を発信する。これにより、使用者は、携帯通信端末１０の窓Ｗ１を外部装置に向けるだけで、外部装置を制御することができる。
【００４６】
まず、制御する外部装置の種類、所定時間および所定位置の初期設定について、図３に示すＧＵＩを利用して説明する。
【００４７】
図３は、リモコン機能における初期設定を行うためのＧＵＩの一例を示す図解図である。図３を参照して、ＬＣＤモニタ２６は、状態表示領域５０および機能表示領域５２を含む。状態表示領域５０には、アンテナ１２による電波受信状態、充電池の残電池容量および現在日時などが表示される。なお、状態表示領域５０に表示される現在日時は、ＣＰＵ２０に内蔵されるＲＴＣ２０ａ（時刻取得手段）から取得される。
【００４８】
また、機能表示領域５２には、リモコン機能における初期設定を行うＧＵＩが表示され、キー入力装置２２を利用して操作される。図３に示すＧＵＩでは、「１．通信設定」、「２．自動送信設定」、「３．時間設定」、「４．位置登録」および「５．ＢＴリモコン登録」のメニューが示される。そして、各メニューに対応する番号は、キー入力装置２２の数字キーに対応しており、使用者は、数字キーを押下することで、任意のメニューを選択することができる。
【００４９】
たとえば、使用者は、「１」の数字キーを押下すると、「１．通信設定」のメニューを選択することができる。この「１．通信設定」メニューが選択されると、発信される赤外線信号に含まれる機種コードとコマンドとの内容を設定するＧＵＩがさらに表示される。たとえば、機種コードの設定では、外部装置の種類（照明やエアコンなどのメーカーおよび型番）を選択することができる。一方、コマンドの設定では、具体的な制御内容、たとえば電源のオン／オフなどを選択することができる。このように、使用者は、赤外線信号によって操作される外部装置を任意に決めることができる。そして、赤外線信号によって操作される外部装置は、広く一般家庭に普及しており、本願発明の携帯通信端末１０を利用して、照明やエアコンなどの外部装置を容易に操作できるようになる。
【００５０】
また、使用者は、「２」の数字キーを押下すると、「２．自動送信設定」のメニューを選択することができる。「２．自動送信設定」のメニューが選択されると、赤外線信号（制御信号）を自動送信するか否かを設定するＧＵＩを表示させることができる。つまり、使用者は、制御信号を自動的に発信するか否かを任意に決めることができる。
【００５１】
また、使用者は、「３」の数字キーを押下すると、「３．時間設定」のメニューを選択することができる。「３．時間設定」のメニューが選択されると、制御信号を自動発信する時間を設定するためのＧＵＩがさらに表示される。そして、使用者は、０時から２３時５９分の間で、任意の時間帯を設定することができる。たとえば、使用者は、帰宅する時間帯を所定時間として設定することができる。
【００５２】
さらに、使用者は、「４」の数字キーを押下すると、「４．位置登録」のメニューを選択することができる。「４．位置登録」のメニューが選択されると、ＧＰＳ衛星１００からのＧＰＳ信号を受信し、現在位置を示す緯度および経度を取得し、取得した緯度および経度を所定位置としてＲＡＭ３０に記憶する。また、リモコン機能における所定位置の範囲とは、所定位置から半径１０メートル以内である。たとえば、使用者は、半径１０メール内に収まる自宅Ｈ（図５参照）で、位置登録の初期設定を行うと、自宅Ｈが所定位置の範囲となる。つまり、使用者は、自宅Ｈ内などの任意の場所で、所定位置を登録する事ができる。
【００５３】
そして、使用者は、「５」の数字キーを押下すると、「５．ＢＴリモコン登録」のメニューを選択することができる。この「５．ＢＴリモコン登録」のメニューが選択された場合については、第２実施例で後述するため、ここでは詳細な説明を省略する。
【００５４】
続いて、外部装置の一例である照明６０について説明する。図４を参照して、照明６０は、外部電源から電力を得る電源回路６２を備える。電源回路６２には、蛍光灯６４が電気的に接続されており、電源回路６２内のスイッチがオンにされると、蛍光灯６４は発光する。また、受光センサを備える赤外線受光部６８は、赤外線信号を受光（受信）すると、制御回路６６に出力する。制御回路６６は、赤外線信号に含まれる機種コードが予め設定されたものと一致すれば、赤外線信号を制御信号に変換し、電源回路６２を制御する。たとえば、電源をオフする制御信号であれば、蛍光灯６４を消灯するために、電源回路６２内のスイッチをオフにする。一方、電源をオンする制御信号であれば、蛍光灯６４を発光させるために、電源回路６２内のスイッチをオンにする。
【００５５】
なお、照明６０では、電源のオン／オフだけに限らず、照度調整も行うようにしてもよい。
【００５６】
続いて、リモコン機能の初期設定において、２０〜２３時の間で、携帯通信端末１０の現在位置が使用者の自宅Ｈ内であれば、照明６０の電源をオンにする制御信号を発信する設定がされている場合について説明する。図５を参照して、使用者の自宅Ｈには照明６０が設置されている。そして、使用者が、携帯通信端末１０を持って２０〜２３時の間に帰宅すると、携帯通信端末１０の現在位置が、所定位置の範囲内となる。このとき、携帯通信端末１０は、照明６０の電源をオンにする制御信号、つまり赤外線信号を発信する。そして、使用者は、携帯通信端末１０の窓Ｗ１を照明６０の赤外線受光部６８に向けると、照明６０の電源をオンにする事ができる。
【００５７】
つまり、使用者は、自宅Ｈに帰宅した後に、携帯通信端末１０を照明６０に向けるだけで、照明６０の電源をオンにすることができる。さらに、使用者は、帰宅する時間帯を設定することで、携帯通信端末１０が余計な時間帯にＧＰＳ信号を受信しないようにできるため、携帯通信端末１０の消費電力を抑えることができる。
【００５８】
また、携帯通信端末１０は、設定された所定時間であるか否かを１分毎に確認し、所定時間内であれば、１分毎にＧＰＳ衛星１００からＧＰＳ信号を受信して所定位置の範囲内であるか否かを判断する。そして、所定位置の範囲内であれば、３０秒毎に赤外線信号を発信するようにする。さらに、３０秒毎に赤外線信号を発信する場合に、使用者によって停止操作が行われると、赤外線信号を自動的に発信する処理を終了する。なお、赤外線信号の発信に連動するバイブレータをさらに備え、携帯通信端末１０は、赤外線信号の発信を明確に通知するようにしてもよい。
【００５９】
図６は、ＲＡＭ３０のメモリマップを示す図解図である。図６を参照して、ＲＡＭ３０のメモリマップ３００には、プログラム記憶領域３０２およびデータ記憶領域３０４が含まれる。プログラムおよびデータの一部は、フラッシュメモリ２８から一度にまたは必要に応じて部分的にかつ順次的に読み出され、ＲＡＭ３０に記憶され、そしてＣＰＵ２０などで処理される。
【００６０】
プログラム記憶領域３０２は、携帯通信端末１０を動作させるためのプログラムを記憶する。この携帯通信端末１０を動作させるためのプログラムは、リモコン機能プログラム３１０およびＧＰＳ通信プログラム３１２などから構成される。
【００６１】
リモコン機能プログラム３１０は、携帯通信端末１０をリモコンとして機能させるためのプログラムであり、さらに初期設定プログラム３１４および自動送信プログラム３１６のサブルーチンを含む。初期設定プログラム３１４は、リモコン機能における初期設定を行うためのプログラムであり、図３に示すＧＵＩを表示したりする。自動送信プログラム３１６は、初期設定プログラム３１４の処理によって設定された、設定内容に基づいて制御信号を自動送信するためのプログラムである。
【００６２】
ＧＰＳ通信プログラム３１２は、ＧＰＳ衛星１００からＧＰＳ信号を受信するためのプログラムである。なお、図示は省略するが、携帯通信端末１０を動作させるためのプログラムは、通話を行うためのプログラムなどを含む。
【００６３】
データ記憶領域３０４には、ＲＴＣバッファ３２０、キー操作バッファ３２２およびＧＰＳ通信バッファ３２４が設けられる。また、データ記憶領域３０４には、機種コードパターンデータ３２６、コマンドパターンデータ３２８、設定時間データ３３０、登録ＧＰＳデータ３３２およびＢＴリモコンデ３３４データが記憶されると共に、自動送信フラグ３３６が設けられる。
【００６４】
ＲＴＣバッファ３２０には、ＲＴＣ２０ａから読み出された時刻のデータが一時的に記憶される。キー操作バッファ３２２には、キー入力装置２２で押下されたキーを示すデータが一時的に記憶される。ＧＰＳ通信バッファ３２４には、ＧＰＳ衛星１００から受信したＧＰＳ信号が一時的に記憶される。
【００６５】
機種コードパターンデータ３２６は、赤外線信号に含まれる機種コード部のパターンを示すデータである。コマンドパターンデータ３２８は、コマンド（制御信号）による制御内容を示すデータであり、たとえば電源のオン／オフを行う制御内容を示す。設定時間データ３３０は、初期設定プログラム３１４によって設定される所定時間を示すデータである。登録ＧＰＳデータ３３２は、初期設定プログラム３１４によって登録される所定位置を示すデータである。ＢＴリモコンデータ３３４は、Ｂｌｕｅｔｏｏｔｈ方式に従う近距離無線通信で接続設定される、リモコンの機器情報を示すデータである。
【００６６】
自動送信フラグ３３６は、制御信号の自動送信が設定されているか否かを判断するためのフラグである。たとえば、自動送信フラグ３３６は、１ビットのレジスタで構成される。自動送信フラグ３３６がオン（成立）されると、レジスタにはデータ値「１」が設定される。一方、自動送信フラグがオフ（不成立）されると、レジスタにはデータ値「０」が設定される。
【００６７】
なお、図示は省略するが、データ記憶領域３０４には、ＧＵＩを表示するための画像データなどが記憶されると共に、携帯通信端末１０の動作に必要な他のカウンタやフラグも設けられる。
【００６８】
ＣＰＵ２０は、「Ｌｉｎｕｘ」および「ＲＥＸ」などのＲＴＯＳ（ｒｅａｌ−ｔｉｍｅ  ｏｐｅｒａｔｉｎｇ  ｓｙｓｔｅｍ）の制御下で、図７に示す初期設定処理および図８に示す自動送信処理などを含む複数のタスクを並列的に実行する。
【００６９】
図７は、初期設定処理を示すフロー図である。図７を参照して、使用者によって図３に示すＧＵＩを表示する操作がされると、ＣＰＵ２０は、ステップＳ１で通信設定がされたか否かを判断する。つまり、「１．通信設定」のメニューが表示されて設定されたか否かを判断する。ステップＳ１で“ＮＯ”であれば、つまり通信設定がされなければ、ステップＳ５に進む。一方、ステップＳ１で“ＹＥＳ”であれば、つまり通信設定がされれば、ステップＳ３で制御信号のパターンを記憶し、ステップＳ２５に進む。つまり、ステップＳ３では、使用者によって選択された外部装置の種類を機種コードパターンデータ３２６として記憶し、使用者によって選択された制御内容をコマンドパターンデータ３２８としてＲＡＭ３０に記憶する。なお、ステップＳ３の処理を実行するＣＰＵ２０は、パターン設定手段として機能する。
【００７０】
ステップＳ５では、自動送信設定がされたか否かを判断する。つまり、「２．自動送信設定」のメニューが表示されて設定されたか否かを判断する。ステップＳ５で“ＮＯ”であれば、つまり自動送信設定がされなければ、ステップＳ９に進む。一方、ステップＳ５で“ＹＥＳ”であれば、つまり自動送信設定がされれば、ステップＳ７で自動送信フラグ３３６の状態を切り替え、ステップＳ２５に進む。つまり、制御信号（赤外線信号）を自動送信する設定がされれば、自動送信フラグ３３６をオンにし、制御信号（赤外線信号）を自動送信しない設定がされれば、自動送信フラグ３３６をオフにする。
【００７１】
ステップＳ９では、時間設定がされたか否かを判断する。つまり、「３．時間設定」のメニューが表示されて設定されたか否かを判断する。ステップＳ９で“ＮＯ”であれば、つまり時間設定がされなければ、ステップＳ１３に進む。一方、ステップＳ９で時間設定がされれば、ステップＳ１１で設定された時間を記憶する。つまり、設定された時間（所定時間）を設定時間データ３３０としてＲＡＭ３０に記憶する。なお、ステップＳ１１の処理を実行するＣＰＵ２０は、時間設定手段として機能する。
【００７２】
ステップＳ１３では、位置登録がされたか否かを判断する。つまり、「４．位置登録」のメニューを表示する操作がされて登録されたか否かを判断する。ステップＳ１３で“ＮＯ”であれば、つまり位置登録がされなければ、ステップＳ１９に進む。一方、ステップＳ１３で“ＹＥＳ”であれば、つまり位置登録がされれば、ステップＳ１５で現在位置の情報を取得する。つまり、ＧＰＳ通信プログラム３１２を実行し、ＧＰＳ衛星１００からＧＰＳ信号を受信して、現在位置の情報を取得する。続いて、ステップＳ１７では、現在位置の情報を登録し、ステップＳ２５に進む。つまり、ステップＳ１５で取得された現在位置（所定位置）の情報を登録ＧＰＳデータ３３２として、ＲＡＭ３０に記憶する。なお、ステップＳ１７の処理を実行するＣＰＵ２０は、位置登録手段として機能する。
【００７３】
ここで、ステップＳ１９−Ｓ２３の処理については、後述する第２実施例で説明するため、詳細な説明は省略する。
【００７４】
ステップＳ２５では、終了操作か否かを判断する。たとえば、キー入力装置２２の終話キーを押下するような終了操作がされたか否かを判断する。ステップＳ２５で“ＮＯ”であれば、つまり終了操作がされなければ、ステップＳ１に戻る。一方、ステップＳ２５で“ＹＥＳ”であれば、つまり終了操作がされれば、初期設定処理を終了する。
【００７５】
図８は、自動送信処理を示すフロー図である。つまり、自動送信フラグ３３６がオンの状態であれば、ＣＰＵ２０は、ステップＳ４１で設定時間か否かを判断する。つまり、ＲＴＣバッファ３２０に一時的に記憶された時刻が、設定時間データ３３０が示す所定時間内であるか否かを判断する。このように、ＣＰＵ２０は、設定時間内であるか否かを確認することにより、たとえば、午後６時〜翌午前５時というように、暗い時間帯のみ制御信号を送信し、照明６０の電源をオンさせる制御を行うことができる。ステップＳ４１で“ＮＯ”であれば、つまり設定時間でなければ、ステップＳ４１の処理を、１分毎に繰り返し実行する。一方、ステップＳ４１で“ＹＥＳ”であれば、つまり設定時間であれば、ステップＳ４３で登録位置範囲内であるか否かを判断する。つまり、ＧＰＳ通信プログラム３１２を実行し、ＧＰＳ信号から現在位置の情報を取得する。そして、取得した現在位置の情報が、登録ＧＰＳデータ３２２が示す位置から半径１０メートル以内に含まれるか否かを判断する。ステップＳ４３で“ＮＯ”であれば、つまり登録位置範囲内でなければ、ステップＳ４３の処理を１分毎に繰り返し実行する。
【００７６】
一方、ステップＳ４３で“ＹＥＳ”であれば、つまり登録位置範囲内であれば、ステップＳ４５で制御信号を送信する。つまり、ＣＰＵ２０は、コマンドパターンデータ３２８に基づいて制御信号を決定する。そして、ＣＰＵ２０は、リモコン制御回路３６に、機種コードパターンデータ３２６に基づいて制御信号を赤外線信号に変換させ、変換した赤外線信号を赤外線ＬＥＤ３８から発信させる。続いて、ステップＳ４７では、停止操作か否かを判断する。つまり、３０秒毎に発信する赤外線信号を停止する操作がされたか否かを判断する。ステップＳ４７で“ＮＯ”であれば、つまり停止操作でなければステップＳ４５，Ｓ４７の処理を３０秒毎に繰り返し実行する。一方、ステップＳ４７で“ＹＥＳ”であれば、つまり停止操作であれば、自動送信処理を終了する。このように、ＣＰＵ２０は、赤外線信号を間欠送信することで、携帯通信端末１０の消費電力を抑えることができる。
【００７７】
なお、ステップＳ４７の停止操作に応じて、自動送信処理は終了されるが、一定時間（１２時間）後に、再び実行されるようにされていてもよい。また、ステップＳ４５の処理を実行するＣＰＵ２０は、送信手段として機能する。
【００７８】
また、たとえば、照明６０が常に暗い場所に設置されており、使用者が必ず照明６０の電源をオンにしたい場合に、使用者は、リモコン機能の初期設定で、０時〜２３時５９分と設定すればよい。これにより、使用者は、時間帯に関係なく、携帯通信端末１０を持って帰宅するだけで、照明６０の電源をオンにすることできる。
【００７９】
さらに、制御信号（赤外線信号）を送信する周期を３０秒毎としたが、光センサを備える携帯通信端末１０であれば、ＣＰＵ２０は、光センサの出力値から周囲の明るさの変化を検出して、制御信号の間欠送信を停止するようにしてもよい。具体的には、ステップＳ４７の判断内容を、明るさが変化したか否かを判断するようにすればよい。
【００８０】
＜第２実施例＞
第２実施例では、Ｂｌｕｅｔｏｏｔｈ方式の近距離無線通信回路を備えるＢＴリモコン７０を外部装置とした場合について説明する。具体的には、所定時間に所定位置の範囲内であれば、携帯通信端末１０は、ＢＴリモコン７０と無線接続し、無線接続されたＢＴリモコン７０に対してＢｌｕｅｔｏｏｔｈ方式に従う制御信号を送信して、照明６０の電源を操作する。
【００８１】
なお、第２実施例では、図１の携帯通信端末１０の構成を示すブロック図、図２の携帯通信端末１０の外観を示す図解図、図３の初期設定のＧＵＩを示す図解図、図４の照明６０の構成を示すブロック図、図６のＲＡＭ３０のメモリマップを示す図解図および図７の初期設定処理を示すフロー図については、第１実施例と同じであるため、それぞれの図については詳細な説明を省略する。また、第２実施例において、ＣＰＵ２０によって制御されるＢＴ通信回路４０およびＢＴアンテナ４２は、送信装置として機能する。
【００８２】
まず、照明６０を操作可能な、ＢＴリモコン７０の構成について、図９を利用して説明する。図９を参照して、ＢＴリモコン７０は、リモコン制御回路７２を備える。リモコン制御回路７２には、操作キー７４、赤外線ＬＥＤ７６およびＢＴアンテナ８０を有するＢＴ通信回路７８がそれぞれ接続される。操作キー７４は、リモコン操作が入力され、リモコン操作の入力に応じてリモコン制御回路７２に操作信号を出力する。そして、リモコン制御回路７２は、操作キー７４から操作信号が入力されると、予め設定された制御信号に対応する赤外線信号を、赤外線ＬＥＤ７６から発信させる。また、予め設定された制御信号とは、照明６０の電源をオン／オフするための制御信号である。
【００８３】
また、ＢＴアンテナ８０は、携帯通信端末１０が発信する、パスワード情報を含む接続設定の無線通信データを受信すると、ＢＴ通信回路７８に出力する。すると、ＢＴ通信回路７８は、パスワード情報をリモコン制御回路７２に出力し、リモコン制御回路７２は、パスワード情報が予め設定されていたものと一致するか確認する。そして、リモコン制御回路７２は、パスワード情報が一致すると、ＢＴ通信回路７８に、無線接続可能なことを携帯通信端末１０に対して応答させる。これにより、ＢＴリモコン７０は、Ｂｌｕｅｔｏｏｔｈ方式の近距離無線通信に従って、携帯通信端末１０と無線接続される。
【００８４】
続いて、ＢＴ通信回路７８は、無線接続された携帯通信端末１０から電源をオンにする制御信号を、ＢＴアンテナ８０を通じて受信すると、受信した制御信号をリモコン制御回路７２に出力する。そして、リモコン制御回路７２は、入力された制御信号に対応する赤外線信号を、赤外線ＬＥＤ７６から発信させる。これにより、照明６０の電源はオンにされる。
【００８５】
なお、携帯通信端末１０とＢＴリモコン７０とが無線接続された状態で、その無線接続が解除されたとしても、近距離無線通信の有効範囲内に入れば、携帯通信端末１０とＢＴリモコン７０とが自動的に無線接続される。
【００８６】
図１０は、ＢＴリモコン７０の外観を示す図解図である。図１０を参照して、ＢＴリモコン７０は、板状に形成されたケースＣ２を有する。また、操作キー７４は、ケースＣ２の長さ方向一方の主面に設けられる。また、ケースＣ２の長さ方向他方の主面には、赤外線ＬＥＤ７６に通じる窓Ｗ２が設けられる。つまり、使用者は、ケースＣ２に設けられる窓Ｗ２を照明６０に向けて、操作キー７４にリモコン操作を入力する。なお、窓Ｗ２には、窓Ｗ１と同様に、赤外線を透過するプラスチックがはめ込まれている。
【００８７】
ここで、図３を利用して、第２実施例におけるリモコン機能の初期設定を説明する。なお、「３．時間設定」および「４．位置登録」のメニューについては、第１実施例と同じであるため、詳細な説明は省略する。
【００８８】
まず、第２実施例において、「１．通信設定」のメニューが選択されると、ＢＴリモコン７０に送信する制御信号の内容を選択するＧＵＩが表示される。たとえば、使用者は、照明６０の電源をオン／オフするための制御信号を選択することができる。次に、「２．自動送信設定」のメニューでは、ＢＴリモコン７０にＢｌｕｅｔｏｏｔｈ方式の制御信号を自動送信するか否かを設定することができる。
【００８９】
そして、「５．ＢＴリモコン登録」のメニューが選択されると、ＢＴリモコン７０と携帯通信端末１０とを無線接続するためのＧＵＩが表示される。つまり、携帯通信端末１０は、「５．ＢＴリモコン登録」のメニューが選択されると、周囲のＢＴリモコン７０を検出し、パスワードを入力させるＧＵＩをＬＣＤモニタ２６に表示させる。そして、ＣＰＵ２０は、入力されたパスワード情報を含む無線通信データをＢＴリモコン７０に送信する。このとき、入力されたパスワードが正しければ、ＢＴリモコン７０と携帯通信端末１０との無線接続が確立される。さらに、無線接続したＢＴリモコン７０の機器情報は、ＲＡＭ３０内に記憶される。これにより、使用者は、近距離無線通信によって無線接続する外部装置の情報を自由に登録する事ができる。そして、使用者は、赤外線信号に比べて障害物の影響が小さい、近距離無線通信を利用して外部装置を操作することができる。
【００９０】
なお、第２実施例における「１．通信設定」のメニューは、「５．ＢＴリモコン登録」のメニューでＢＴリモコン７０の機器情報が記憶された状態でのみ、ＢＴリモコン７０に送信する制御信号の内容を選択するＧＵＩを表示する。つまり、ＢＴリモコン７０の機器情報が消去または記憶されていなければ、第１実施例で記述した、赤外線信号に含まれる機種コードとコマンドとの内容を設定するＧＵＩを表示する。また、近距離無線通信の規格は、Ｂｌｕｅｔｏｏｔｈ方式だけに限らず、無線ＬＡＮ、たとえばＷｉ−Ｆｉ方式の近距離無線通信の規格であってもよい。
【００９１】
ここで、リモコン機能の初期設定で、携帯通信端末１０とＢＴリモコン７０とが無線接続されており、２０〜２３時の間に、携帯通信端末１０の現在位置の範囲が使用者の自宅Ｈであれば、ＢＴリモコン７０に、照明６０の電源をオンにする制御信号を発信する設定がされている場合について説明する。図１１を参照して、第１実施例と同様に、使用者の自宅Ｈの天井には、照明６０が設置されている。また、ＢＴリモコン７０は、発信する赤外線信号が照明６０の赤外線受光部６８に届く状態で、自宅Ｈに置いてある。
【００９２】
そして、使用者が２０〜２３時の間に帰宅すると、携帯通信端末１０の現在位置が設定された所定位置の範囲内となる。このとき、携帯通信端末１０は、ＢＴリモコン７０と無線接続されると、ＢＴリモコン７０に対して、照明６０の電源をオンにする制御信号を発信する。そして、ＢＴリモコン７０は、受信した制御信号に基づいて、照明６０の電源をオンにする赤外線信号を発信する。これにより、使用者は、所定時間内に自宅に帰宅するだけで、照明６０の電源をオンにする事ができる。さらに、使用者は、携帯通信端末１０をカバンやポケットの中に入れたままで、照明６０の電源をオンにする事ができる。
【００９３】
なお、所定時間であるかの確認および所定位置の範囲内であるかの確認をするタイミングについては、第１実施例と同じである。また、制御信号を発信するタイミングについては、第１実施例と同様に３０秒毎である。さらに、第１実施例と同様に、制御信号の発信に連動するバイブレータを備えてもよい。
【００９４】
第２実施例におけるＣＰＵ２０も、「Ｌｉｎｕｘ」および「ＲＥＸ」などのＲＴＯＳの制御下で、図７に示す初期設定処理および図１２に示す自動送信処理などを含む複数のタスクを並列的に実行する。なお、第２実施例における初期設定処理では、ステップＳ１、ステップＳ５−Ｓ１７およびステップＳ２５の処理については、第１実施例と同じであるため、説明は省略する。また、図１２に示す、第２実施例の自動送信処理でも、ステップＳ４１，ステップＳ４３およびステップＳ４７の処理は、第１実施例と同じであるため、詳細な説明は省略する。
【００９５】
まず、図７を参照して、第２実施例のＣＰＵ２０は、ステップＳ１の処理で“ＹＥＳ”であれば、ステップＳ３で制御信号のパターンを記憶する。つまり、送信する制御信号（コマンド）の種類をコマンドパターンデータ３２８として、ＲＡＭ３０に記憶する。
【００９６】
また、ステップＳ１３で“ＮＯ”であれば、ステップＳ１９でＢＴリモコン登録がされたか否かを判断する。つまり、「５．ＢＴリモコン登録」のメニューを表示する操作がされて登録されたか否かを判断する。ステップＳ１９で“ＮＯ”であれば、つまりＢＴリモコン登録がされなければ、ステップＳ２５に進む。一方、ステップＳ１９で“ＹＥＳ”であれば、つまりＢＴリモコン登録がされれば、ステップＳ２１でＢＴリモコン７０の初期設定を行う。つまり、入力されたパスワードに基づいてＢＴリモコン７０との無線接続を確立する。続いて、ステップＳ２３では、ＢＴリモコン７０の情報を記憶し、ステップＳ２５に進む。つまり、ＢＴリモコン７０の機器情報を、ＢＴリモコンデータ３３４としてＲＡＭ３０に記憶する。
【００９７】
次に、図１２を参照して、第２実施例のＣＰＵ２０は、ステップＳ４３で“ＹＥＳ”であれば、ステップＳ６１でＢＴリモコン７０と無線接続する。つまり、初期設定で無線接続されたＢＴリモコン７０との無線接続を確立する。続いて、ステップＳ６３では、ＢＴリモコン７０に制御信号を送信し、ステップＳ４７に進む。つまり、コマンドパターンデータ３２８に基づいて、ＢＴリモコン７０に制御信号を送信する。
【００９８】
なお、第２実施例における自動送信処理では、ステップＳ６３で制御信号を送信した後に、ステップＳ４７の処理を実行することなく終了してもよい。また、ステップＳ６１でＢＴリモコン７０との無線接続が確立できなかった場合に、無線接続を行う近距離無線通信を、３０秒毎に行うようにしてもよい。また、ＢＴ通信回路を備える照明６０との無線接続を確立し、リモコン操作をするようにしてもよい。また、ステップＳ６３の処理を実行するＣＰＵ２０は、送信手段として機能する。
【００９９】
以上の説明から分かるように、携帯通信端末１０は、リモコン制御回路３６、赤外線ＬＥＤ３８、ＢＴ通信回路４０およびＢＴアンテナ４２を備え、外部装置に対して、制御信号（赤外線信号）を送信することができる。さらに、携帯通信端末１０は、ＧＰＳ制御回路３２およびＧＰＳアンテナ３４を備え、現在位置の情報を取得することができる。また、使用者は、リモコン機能の初期設定で、自宅Ｈの中心などで現在位置の情報を取得し、自宅Ｈ内を所定位置の範囲として登録する事ができる。そして、使用者が携帯通信端末１０を持って自宅Ｈに帰宅すると、携帯通信端末１０の現在位置の情報が自宅Ｈ内に含まれるため、携帯通信端末１０は、照明６０（またはＢＴリモコン７０）に対して赤外線信号（制御信号）を送信して、照明６０の電源をオンにする事ができる。
【０１００】
これによって、使用者は、予め登録した任意の場所に行く（帰る）だけで、照明６０の電源などを制御することができる。
【０１０１】
なお、照明６０が備える蛍光灯６４は、ＬＥＤ照明や有機ＥＬ照明などの他の発光装置であってもよい。また、所定位置の範囲における半径１０メートルは、他の値であってもよい。さらに、所定位置の範囲は、使用者によって任意に変更可能であってもよい。また、自動的に発信される制御信号（赤外線信号）によって制御される外部装置は、照明６０だけに限らず、エアコンや扇風機などの空調装置、テレビおよびラジオなどであってもよい。
【０１０２】
また、ＢＴリモコン７０は、発信する赤外線信号の機種コードが、使用者によって任意に設定可能であってもよい。さらに、機種コードが使用者によって任意に設定可能なＢＴリモコン７０は、携帯通信端末１０とセットで販売されてもよいし、オプション品として別売りされてもよい。
【０１０３】
また、携帯通信端末１０の通信方式には、ＣＤＭＡ方式だけに限らず、Ｗ‐ＣＤＭＡ方式、ＴＤＭＡ方式およびＰＨＳ方式などを採用してもよい。また、携帯通信端末１０のみに限らず、携帯型ゲーム機、携帯型音楽プレイヤ、ノート型ＰＣおよびＰＤＡ（Ｐｅｒｓｏｎａｌ  Ｄｅｇｉｔａｌ  Ａｓｓｉｓｔａｎｔ）などであってもよい。
【０１０４】
また、他の実施例において、加速度センサを備える携帯通信端末１０であれば、加速度センサが出力する加速度の値から、携帯通信端末１０が持ち運ばれているか否かを判断し、携帯通信端末１０が持ち運ばれているときにのみ、所定位置の範囲内であるか否かを判断するようにしてもよい。具体的には、ステップＳ４１とステップＳ４３との間に、加速度センサが出力する加速度の値に基づいて携帯通信端末１０が持ち運ばれているか否かを判断する処理を新たに加え、新たに加えた処理で“ＹＥＳ”と判断されれば、ステップＳ４３の処理を行うようにすればよい。これによって、消費電力が大きいＧＰＳ制御回路３２を使用した現在位置の確認回数を減らすことができる。つまり、ＣＰＵ２０は、上記処理が加えられることで、携帯通信端末１０の消費電力を抑えることができる。
【図面の簡単な説明】
【０１０５】
【図１】図１は本発明の携帯通信端末の構成を示すブロック図である。
【図２】図２は図１に示す携帯通信端末の外観を示す図解図である。
【図３】図３は図１に示すＬＤＥモニタに表示されるＧＵＩの一例を示す図解図である。
【図４】図４は本発明で説明される照明の構成を示すブロック図である。
【図５】図５は第１実施例における照明の操作の一例を示す図解図である。
【図６】図６は図１に示すＲＡＭのメモリマップの一例を示す図解図である。
【図７】図７は図１に示すＣＰＵの初期設定処理を示すフロー図である。
【図８】図８は図１に示すＣＰＵの第１実施例における自動送信処理を示すフロー図である。
【図９】図９は本発明で説明されるＢＴリモコンの構成を示すブロック図である。
【図１０】図１０は図９に示すＢＴリモコンの外観を示す図解図である。
【図１１】図１１は第２実施例における照明の操作の一例を示す図解図である。
【図１２】図１２は図１に示すＣＰＵの第２実施例における自動送信処理を示すフロー図である。
【符号の説明】
【０１０６】
１０    …  携帯通信端末
２０    …  ＣＰＵ
２０ａ    …ＲＴＣ
２２    …  キー入力装置
３０    …  ＲＡＭ
３２    …  ＧＰＳ制御回路
３４    …  ＧＰＳアンテナ
３６    …  リモコン制御回路
３８    …  赤外線ＬＥＤ
４０    …  ＢＴ通信回路
４２    …  ＢＴアンテナ
６０    …  照明
７０    …  ＢＴリモコン
１００    …  ＧＰＳ衛星
【図１】
2010154145.tif 000003
【図２】
2010154145.tif 000004
【図３】
2010154145.tif 000005
【図４】
2010154145.tif 000006
【図５】
2010154145.tif 000007
【図６】
2010154145.tif 000008
【図７】
2010154145.tif 000009
【図８】
2010154145.tif 000010
【図９】
2010154145.tif 000011
【図１０】
2010154145.tif 000012
【図１１】
2010154145.tif 000013
【図１２】
2010154145.tif 000014